(57)【要約】【課題】表示データの出力先の選択候補を容易に設定することが可能な電子機器及び表示データ出力制御方法を提供することを目的とする。【解決手段】ユーティリティ画面３１は、上段にパソコン１が機能として出力可能なデバイスの候補を表示する選択候補窓３２を示し、下段に、ユーザが選択した外部表示デバイスの種類を表示するユーザ選択窓３３を示す。ユーザは、選択候補窓３２から自分の好みで表示デバイスをユーザ選択窓３３へ選択することで、表示データを出力する表示デバイスの選択を行うことが可能である。ユーザが実際表示データの出力を変更する場合は、ユーザ選択窓３３に選択された表示デバイスの中からのみ選択することが可能となり、表示データの出力先を容易に変更可能である。【選択図】　図３
2004054814.tif 000002
【特許請求の範囲】
【請求項１】
複数のデバイスの情報を記憶する第１の記憶エリアと
前記第１の記憶エリアに記憶された前記複数のデバイスの情報から任意に選択されたデバイスの情報を記憶する第２の記憶エリアと、
前記第２の記憶エリアに記憶された前記デバイスの情報に基づいて、使用されるデバイスを設定する設定手段と
を具備することを特徴とする電子機器。
【請求項２】
前記第１の記憶エリアは、不揮発性のメモリであることを特徴とする請求項１に記載の電子機器。
【請求項３】
前記第１の記憶エリアと、前記第２の記憶エリアは不揮発性のメモリにより構成されることを特徴とする請求項１に記載の電子機器。
【請求項４】
前記第２の記憶エリアには、さらに前記変更手段の操作に応じて前記デバイスが変更される順番の情報が記憶されており、
前記変更手段の操作に応じて、前記第２の記憶手段に記憶されている前記デバイスが前記順番の情報に応じて変更されることを特徴とする請求項１または３に記載の電子機器。
【請求項５】
前記デバイスは、前記電子機器で処理されたデータを表示する表示デバイスであることを特徴とする請求項１または４に記載の電子機器。
【請求項６】
電子機器の表示データ出力方法において、
複数の表示デバイスの情報を第１の記憶エリアに情報を記憶し、
前記第１の記憶エリアに記憶された前記複数の表示デバイスの情報から任意に選択された表示デバイスの情報を第２の記憶エリアに記憶し
前記第２の記憶エリアに記憶された前記デバイスの情報に基づいて、使用されるデバイスを設定する
ことを特徴とする表示データ出力方法。
【請求項７】
電子機器の表示データ出力方法において、
複数の表示デバイスの情報を第１の記憶エリアに情報を記憶し、
前記第１の記憶エリアに記憶された前記複数の表示デバイスの情報から任意に選択された表示デバイスの情報と、この表示デバイスが所定動作に応じて変更される順番の情報とを第２の記憶エリアに記憶し
前記第２の記憶手段に記憶されている前記デバイスの情報と前記順番の情報とに基づいて使用される表示デバイスが変更されること
を特徴とする表示データ出力方法。
【発明の詳細な説明】
【０００１】
【発明の属する技術分野】
本発明は、電子機器の表示画面の出力先を変更可能な電子機器及び表示データ出力制御方法に関する。
【０００２】
【従来の技術】
近年、パーソナルコンピュータ（以後、パソコンと称す）では、パソコンの表示画面を様々な外部表示デバイスに出力可能であり、ノートパソコンでは標準のＬＣＤパネルのほか、外部インターフェースに接続されるＣＲＴやＴＶなどにも表示データを出力することが可能である。
【０００３】
このような表示手段への表示データ出力先を切替える場合、キーボードの所定キーに割り当てられたホットキーを操作することにより表示手段を切替える方法や、所定アプリケーションにより、パソコンが具備するＬＣＤに表示データを出力可能な表示デバイスを表示し、その中からユーザが選択的に出力表示手段選択可能にしている。
【０００４】
【発明が解決しようとする課題】
上記、従来技術では、表示データの出力先デバイスの選択は、ユーザが通常使用しない表示デバイスであっても、選択候補として表示される場合や、外部の表示デバイスとのインターフェースが設けられているパソコンなどでは、その表示デバイスが接続されている、いないに関わらず、ユーザが選択可能なように表示画面に表示される。
【０００５】
この場合、接続されていない外部表示デバイスも選択可能な表示が行われるため、ユーザは外部表示デバイスが接続されていないにもかかわらず、外部表示デバイスへ表示データを出力可能であるという錯覚に陥るという問題があった。
【０００６】
また、ホットキーによる表示先デバイスの切替えを行う機能を有する場合は、ホットキーを押す度に、表示先デバイスが所定順序で切り替わる方式（トグル式）になっており、所望しないデバイスや、電子機器に接続されていない外部表示デバイスであっても、電子機器内では順次切り替えが行われるという問題や、ユーザが意図しないデータ出力先に設定されている場合や、現在の表示先が分からないといった問題があった。
【０００７】
上記課題を解決するために、本発明では、電子機器において、表示データの出力先の選択候補を容易に設定することが可能な電子機器及び表示データ出力制御方法を提供することを目的とする。
【０００８】
【課題を解決するための手段】
上記目的を達成するために、請求項１にかかる発明では、複数のデバイスの情報を記憶する第１の記憶エリアと前記第１の記憶エリアに記憶された前記複数のデバイスの情報から任意に選択されたデバイスの情報を記憶する第２の記憶エリアと、前記第２の記憶エリアに記憶された前記デバイスの情報に基づいて、使用されるデバイスを設定する設定手段とを具備することを特徴とする。
【０００９】
このような構成により、表示データの出力先の選択候補を容易に設定することが可能な電子機器を提供することが可能である。
【００１０】
【発明の実施の形態】
以下本発明に係る実施形態を、図面を参照して説明する。
【００１１】
図１に、第１の実施形態に係るパソコンの斜視図を示す。
【００１２】
パソコン１は、本体ケース２と表示部ケース３とＬＣＤ４とキーボード５とを有する。本体ケース２はその上面部にキーボード５を配設している。本体ケース２と表示部ケース３とは、ヒンジ部６により回動可能に接続している。表示部ケース３は、ＬＣＤ４の表示領域が可視状態となるようＬＣＤ４の周辺部を保持している。表示部ケース３はヒンジ部６を介して矢印Ａ−Ｂ方向に回動可能であり、キーボード５を覆う閉位置とキーボード５を使用可能な状態にする開位置との間で回動可能である。ＬＣＤ４は、表示部ケースに内蔵されたバックライト（蛍光手段、図示せず）により輝度を保ち、表示が行なわれる。
【００１３】
続いて、図２に第１の実施形態に係るパソコンのハードウェア構成図を示す。
【００１４】
パソコン１本体内は、通常のパソコン１が動作するのに必要なデバイスにより構成している。このパソコン１の制御を司るＣＰＵ１１は第１のブリッジ回路１２と接続されており、第１のブリッジ回路１２とメインメモリ１３との接続はメモリバスを介して接続されている。第１のブリッジ回路１２と第２のブリッジ回路１４とは、３２ビット幅のデータバスを有する第１のバス１５によって接続している。第２のブリッジ回路１４にはハードディスクドライブ（以後、ＨＤＤと称す）１６およびＢＩＯＳ−ＲＯＭ１７が接続されている。また、第２のブリッジ回路１４に接続されている１６ビット幅のデータバスを有する第２のバス１８を介して、エンベデッドコントローラ（以後、ＥＣと称す）１９が接続されている。
【００１５】
ＣＰＵ１１は、パソコン１全体の動作制御およびデータ処理等を実行するものである。
【００１６】
メインメモリ１３は、オペレーティングシステム（ＯＳ）２０、表示デバイスのドライバ２１、表示デバイスを選択可能なユーティリティソフト２３、ＢＩＯＳプログラム２４などを格納するメモリデバイスであり、複数のＤＲＡＭなどによって構成されている。
メインメモリ１４は、オペレーティングシステム（以後、ＯＳと称す）２２、ＢＩＯＳ２３、イベントユーティリティソフト２４、各種デバイスドライバ２５、および処理データなどを格納するメモリデバイスであり、複数のＤＲＡＭなどによって構成している。
【００１７】
オペレーティングシステム２０は、パソコン１のハードウェアとソフトウェアの動作を総合的に管理・制御するためのものである。また、アプリケーションの、割込み等の手続きに対してＣＰＵ１１の処理の権利（ＣＰＵ１１の利用権）を与えるかの管理等を行なう。
【００１８】
ドライバ２１は、各表示デバイスの入出力制御を行うものである。
【００１９】
ユーティリティ２２は、パソコン１で表示可能に接続される表示デバイスを選択をユーザに選択可能にユーザに提示するものである。
【００２０】
ＢＩＯＳ２３は、パソコンの起動時にＢＩＯＳ−ＲＯＭ１７から読み出され、ＯＳ起動中に各種ハードウェアをアクセスするファンクション実行ルーチンを体系化したものである。
【００２１】
第１のブリッジ回路１２は、ＣＰＵ１１と第１のバス１５との間を繋ぐブリッジＬＳＩであり、第１のバス１５のバスマスタデバイスの１つとして機能する。この第１のブリッジ回路１２は、ＣＰＵ１１と第１のバス１５との間で、データ及びアドレスを含むバス幅を変換する機能、及びメモリバスを介してメインメモリ１３のアクセス制御をする機能などを有している。また、第１のブリッジ回路１２には、パソコン１の表示データの出力制御を行う表示コントローラ２０が接続されている。
【００２２】
表示コントローラ２０は、パソコン１に設けられているＬＣＤ４へ表示データを出力する制御を行うものであり、第１のブリッジ回路１２を介して送信される表示データをビデオＲＡＭ２１（以後、ＶＲＡＭと称す）に一旦記憶し、リフレッシュ周期にあわせてＶＲＡＭ２１から表示データを読み出してＬＣＤ４への表示を行う。
【００２３】
このパソコン１は、外部への表示デバイスとして、ＣＲＴ２２とＴＶ２３が接続可能に構成されている。
【００２４】
第１のバス１５はクロック同期型の入出力バスであり、第１のバス１５上の全てのサイクルは、第１のバスクロックに同期して行う。この第１のバス１６は、時分割的に使用されるアドレス／データバスを有している。
【００２５】
第２のブリッジ回路１４は、第１のバス１５と第２のバス１８との間を繋ぐブリッジＬＳＩであり、第１のバス１５と第２のバス１８との間のバス変換等を行う。また、データの記憶再生装置として用いられるＨＤＤ１６が接続されており、このＨＤＤ１６の制御を行うＩＤＥコントローラが組みこまれている。また、第２のブリッジ回路１４には、ＢＩＯＳ−ＲＯＭ１７も接続されている。
【００２６】
ＢＩＯＳ―ＲＯＭ１７は、パソコン内の各種ハードウェアをアクセスするファンクション実行ルーチンを体系化したプログラムであり、プログラムが書き換え可能なようにフラッシュＲＯＭにより構成されている。パソコン１の起動時に、各種ハードウェアの初期化を行ったり、ＯＳ実行中にも各種ハードウェアへの入出力制御を行う。
【００２７】
また、ＢＩＯＳ−ＲＯＭ１７には、ＢＩＯＳの各種設定を保存するＣＭＯＳメモリ２８が接続されている。
【００２８】
第２のブリッジ回路１４から延出する第２のバス１７には、ＥＣ１９が接続されている。
【００２９】
ＥＣ１９は、内部にキーボードのコードデータなどを処理するキーボードコントローラ（ＫＢＣ）機能が組み込まれており、ＥＣ１９に接続されるキーボード２９の入出力制御をおこなう。
【００３０】
次に、図３を参照して、表示先の選択する手法について説明する。図３に第１の実施形態に係る表示デバイスの選択ユーティリティの表示画面例の図を示す。これは、出力先の表示デバイスをカスタマイズする設定画面である。
【００３１】
ユーティリティ画面３１は、上段にパソコン１が機能として出力可能なデバイスの候補を表示する選択候補窓３２を示し、下段に、ユーザが選択した外部表示デバイスの種類を表示するユーザ選択窓３３を示す。本実施形態では、このパソコン１が表示データを出力可能な外部表示デバイスは、ＢＩＯＳ―ＲＯＭ１７に記憶されている。
【００３２】
選択候補窓３２には、表示データをＬＣＤ４へ出力するように設定するアイコン（以後、ＬＣＤアイコンと称す）３４、ＬＣＤ４とＣＲＴ２６との両方へ出力するように設定するアイコン（以後、ＬＣＤ−ＣＲＴアイコンと称す）３５、表示データをＣＲＴ２６へのみ出力するように設定するアイコン（以後、ＣＲＴアイコンと称す）３６、表示データをＬＣＤ４とＴＶ２７との両方に設定するアイコン（以後、ＬＣＲＴＶアイコンと称す）３７、表示データをＴＶ２７のみへ出力するように設定するアイコン（以後、ＴＶアイコンと称す）３８が表示されている。
【００３３】
ユーザ選択窓３３には上記の選択候補窓３２からユーザに選択されたアイコンを表示する。
【００３４】
選択候補窓３２により例えば、ユーザにクリックされたアイコンをユーザ選択窓３３に表示するようにしたり、ドラッグアンドドロップで、選択候補窓３２からユーザ候補窓３３へアイコンを異動させても良い。
【００３５】
このユーザ選択窓３３に表示されているアイコンのみが、ユーザがその後、表示データの出力先として選択可能となる。
【００３６】
ユーティリティ画面３１は下方にリセットボタン３９、ＯＫボタン４０、キャンセルボタン４１が設けられている。
【００３７】
リセットボタン３９は、ユーザ選択窓３３に表示されているアイコンを全て消去するものである。このボタンを押すと、ユーザ選択窓３３に現在表示されているアイコンは全て消され
【００３８】
ＯＫボタン４０は、現在ユーザ選択窓３３に現在表示されている設定で、メインメモリ１３へ状態を保存する。
【００３９】
キャンセルボタン４１は、現在選択されている状態を保存せずにこのユーティリティソフトを終了する。
【００４０】
これらのいずれかのボタンを押すことで、このユーティリティは終了することとなる。
【００４１】
次に、上述したユーティリティソフトにより、候補を選択した場合ユーザが実際表示データの出力を変更する画面を設定する例について説明する。
【００４２】
図４に、実際に表示データの出力先を選択する画面の例を示す。
【００４３】
選択画面４５は、上述のユーティリティソフトによりユーザ選択窓３３に抽出された選択デバイスを表示している。
【００４４】
この選択画面では、ユーザが選択した候補に基づいて、表示されるものである。この表示されたアイコンをクリックすることで、表示データを出力する出力先を選択可能とする。
【００４５】
また、このパソコン１の電源オフ時には、上記設定をＢＩＯＳ１７のＣＭＯＳメモリ２８へ保存する。このことにより、次回パソコンを起動する際も、上記設定のまま使用可能となる。
【００４６】
上述のユーティリティソフトにより、頻繁に出力する出力デバイスのみを出力切替え画面に表示する。このことで、ユーザは、出力表示切替え時に、出力先を容易に選択することが可能である。
【００４７】
続いて、第２の実施形態について説明する。
【００４８】
第２の実施形態では、キーボードの特定キーに表示データの出力先を変更切替えを行うキー（以後、ホットキーと称す）を割り当て、このホットキーの押下により表示出力先を変更する場合のカスタマイズ例である。
【００４９】
図５に、第２の実施形態に係る表示デバイス選択ユーティリティの表示画面例の画面を示す。
【００５０】
ユーティリティ画面５１は、上段にパソコン１が機能として出力可能なデバイスの候補を表示する選択候補窓５２を示し、下段に、ユーザが選択した外部表示デバイスの種類を表示するユーザ選択窓５３を示す。ここでは、ホットキーによる表示デバイス切り替えを行うため、ホットキーを押す毎に、設定された順番で、表示データの出力先デバイスが変更される。
【００５１】
選択候補窓５２には、上述したものと同じアイコンである、ＬＣＤアイコン３４、ＬＣＤ−ＣＲＴアイコン３５、ＣＲＴアイコン３６、ＬＣＲＴＶアイコン３７、ＴＶアイコン３８が表示されている。
【００５２】
ユーザ選択窓５３には上記の選択候補窓３２からユーザに選択されたアイコンを表示する。ユーザ選択窓５３には、ホットキーを押した際に変更される順番と関連付けて設定される。
【００５３】
ユーザ選択窓５３の左上部の枠５１は、パソコン１起動時に初期設定として表示データが出力されるデバイスが選択される。真中上部の枠５２は、ホットキーを一回押した場合に、切替えられるデバイスが選択される。右上部の枠５３は、さらにホットキーが押された場合に、切替えられるデバイスが選択される。このように、ホットキーが押された際に順番に変わるデバイスの設定が記憶される。
【００５４】
これは、選択候補窓５２に表示されているアイコンをクリックすると、クリックした順番にユーザ選択窓５３にアイコンが表示される。または、候補選択窓５２に表示されているアイコンをドラッグアンドドロップによりユーザ選択窓５３の任意の枠へ移動させるように選択しても良い。
【００５５】
リセットボタン５９は、ユーザ選択窓３３に表示されているアイコンを全て消去するものである。このボタンを押すと、ユーザ選択窓３３に現在表示されているアイコンは全て消され
【００５６】
ＯＫボタン６０は、現在ユーザ選択窓３３に現在表示されている設定で、メインメモリ１３へ状態を保存する。
【００５７】
キャンセルボタン６１は、現在選択されている状態を保存せずにこのユーティリティソフトを終了する。
【００５８】
これらのいずれかのボタンを押すことで、このユーティリティは終了することとなる。
【００５９】
上述のユーティリティソフトの設定により、ホットキーの押下に対応した順番が決定される。ホットキーが押されると、例えば、キーボードのホットキーが押される毎に、枠５１に設定されている表示デバイスから枠５２に設定されている表示デバイスへ、さらに枠５３に設定されている表示デバイスへ、さらに枠５４に設定されている表示デバイスへ、さらに枠５４に設定されている表示デバイスへ、と変更される。
【００６０】
図６には、ホットキーを押した場合のＬＣＤ４への表示を示す。
【００６１】
図６（ａ）は、表示データ出力先がＬＣＤ４に設定された場合のポップアップ画面を示し、図６（ｂ）は、表示データ出力先がＬＣＤ４とＣＲＴとに設定された場合のポップアップ画面を示す。
【００６２】
図５に示したユーザ選択窓５３に表示されている出力先に表示データが表示される。ここでは、初期設定で、ＬＣＤ４へ表示データを表示する。ここで、ホットキーが押されると（例えば、ファンクションキーとＦｎ５キーとを同時に押す）図６の（ｂ）のようなポップアップが表示され、表示データの出力は、ＬＣＤ４とパソコンに外部接続されたＣＲＴとに表示される。当然ＣＲＴが接続されていない場合は、ＬＣＤ４にのみ表示される。
【００６３】
続いて、ホットキーを押すと、図６（ａ）のようなポップアップ画面が表示され、表示データの出力は、ＬＣＤ４のみとなる。ＣＲＴが外部接続されている場合でも、表示データはＣＲＴに表示されない。
【００６４】
上述のようにホットキー操作で表示データの出力先を変更する場合に、ユーザが使用する出力先を設定可能とすることにより、所望の出力先デバイスへ切替えることが可能であり、必要としないデバイスへの出力を行わないように設定可能である。
【００６５】
以上詳述したように本発明では、表示データを出力するデバイスの切替え先候補をユーザにより設定可能であり、表示データの出力先の選択候補を容易にすることが可能である。
【００６６】
本願発明は、上述の実施形態に限定されるものではなく、実施段階ではその用紙を逸脱しない範囲において種々に変形可能である。
【００６７】
【発明の効果】
以上詳述した発明によれば、電子機器において、表示データの出力先の選択候補を容易にすることが可能な電子機器及び表示データ出力制御方法を提供することが可能である。
【図面の簡単な説明】
【図１】第１の実施形態に係る電子機器の斜視図。
【図２】第１の実施形態に係る電子機器のハードウェア構成図。
【図３】第１の実施形態に係る表示デバイスの選択ユーティリティの表示画面例の図。
【図４】表示データの出力先を選択する画面の例の図。
【図５】第２の実施形態に係る表示デバイスの選択ユーティリティの表示画面例の図。
【図６】（ａ）表示データ出力先がＬＣＤに設定された場合のポップアップ画面の図。
（ｂ）表示データ出力先がＬＣＤとＣＲＴとに設定された場合のポップアップ画面の図。
【符号の説明】
１…パソコン
２…本体ケース
３…表示部ケース
４…ＬＣＤパネル
５…キーボード
６…ヒンジ部
１１…ＣＰＵ
１３…メモリ
１７…ＢＩＯＳ
２２…ユーティリティソフト
２８…ＣＭＯＳメモリ
３１、５１…ユーティリティ画面
３２、５２…選択候補窓
３３、５３…ユーザ選択窓
４５…選択画面
【図１】
2004054814.tif 000003
【図２】
2004054814.tif 000004
【図３】
2004054814.tif 000005
【図４】
2004054814.tif 000006
【図５】
2004054814.tif 000007
【図６】
2004054814.tif 000008